(57)【要約】【課題】  同軸コネクタにおけるオス側コネクタの中心導体を正しく同軸位置に保持し、雌雄両コネクタ全体として同軸性を達成し得るようなメス側コネクタの構造を提供すること。【解決手段】  導電性を有するバネ性板材が丸められて筒状体とされ、かつ前記筒状体の周方向に沿う少なくとも２箇所に切込みが入れられ、前記筒状体の壁材の一部が該筒状体の内周方向に屈曲されて少なくとも２つの当接片１２３が形成され、これら当接片によって前記筒状体の中心部にオス側同軸接栓の中心導体を受ける受け孔が形成された同軸コネクタのメス側接栓ピン。【選択図】  図１
2005056747.tif 000002
【特許請求の範囲】
【請求項１】
導電性を有するバネ性板材が丸められて筒状体とされ、かつ前記筒状体の周方向に沿う少なくとも２箇所に切込みが入れられ、前記筒状体の壁材の一部が該筒状体の内周方向に屈曲されて少なくとも２つの当接片が形成され、これら当接片によって前記筒状体の中心部にオス側同軸接栓の中心導体を受ける受け孔が形成された同軸コネクタのメス側接栓ピン。
【請求項２】
請求項1記載の同軸コネクタのメス側接栓ピンにおいて、
前記当接片相互間に空隙が形成され、この空隙に前記中心導体を挟持する構造を有する同軸コネクタのメス側接栓ピン。
【請求項３】
請求項１記載の同軸コネクタのメス側接栓ピンにおいて、
前記当接片は、長手方向中央部が最大幅で両端に向かって狭幅となるように形成された同軸コネクタのメス側接栓ピン。
【請求項４】
請求項１記載の同軸コネクタのメス側接栓ピンにおいて、
前記当接片は、切込みの両端で最大幅であって切込みの中央部で最小幅となるように形成された同軸コネクタのメス側接栓ピン。
【請求項５】
請求項1記載の同軸コネクタのメス側接栓ピンにおいて、
前記当接片は、前記中心導体をガイドする長手方向に延びた凹溝を有する同軸コネクタのメス側接栓ピン。
【請求項６】
請求項１記載の同軸コネクタのメス側接栓ピンにおいて、
前記当接片は、前記中心導体に対して複数箇所で接触するための長手方向と直角方向に延びた稜を有する同軸コネクタのメス側接栓ピン。
【請求項７】
請求項１記載の同軸コネクタのメス側接栓ピンにおいて、
前記受け孔は、横断面形状が円弧状である同軸コネクタのメス側接栓ピン。
【請求項８】
請求項１記載の同軸コネクタのメス側接栓ピンにおいて、
前記受け孔は、横断面形状が前記中心導体を保持する円弧が中央に設けられた同軸コネクタのメス側接栓ピン。
【発明の詳細な説明】
【技術分野】
【０００１】
本発明は、ＴＶ受信システム等の高周波機器用同軸コネクタに係り、とくにそのメス側接栓に関する。
【背景技術】
【０００２】
ＴＶ受信システムでは、ＣＳ放送への展開もあり、一層の高周波移行が進んでおり、最高周波数は３ＧＨｚ近くとなっている。
【０００３】
この結果、機器相互を接続するために使用される同軸コネクタに対してもより厳格な特性が求められるようになっている。
【０００４】
そして、同軸コネクタは特性インピーダンスを広帯域にわたって良好に保つには中心導体と外部導体との同軸性保持が重要な要素であり、その実現のための構造が求められている。
【０００５】
しかしながら、従来の同軸コネクタは、中心導体の保持構造が不十分であって、外部導体に対して中心導体の同軸性を高く保つことが必ずしもできていない。
【発明の開示】
【発明が解決しようとする課題】
【０００６】
本発明は上述の点を考慮してなされたもので、同軸コネクタにおけるオス側コネクタの中心導体を正しく同軸位置に保持し、雌雄両コネクタ全体として同軸性を達成し得るようなメス側コネクタの構造を提供することを目的とする。
【課題を解決するための手段】
【０００７】
上記目的達成のため、本発明では、
導電性を有するバネ性板材が丸められて筒状体とされ、かつ前記筒状体の周方向に沿う少なくとも２箇所に切込みが入れられ、前記筒状体の壁材の一部が該筒状体の内周方向に屈曲されて少なくとも２つの当接片が形成され、これら当接片によって前記筒状体の中心部にオス側同軸接栓の中心導体を受ける受け孔が形成された同軸コネクタのメス側接栓ピン、
を提供するものである。
【発明の効果】
【０００８】
本発明は上述のように、同軸コネクタの筒状体の中心部にオス側接栓の中心導体を受ける受け孔を設けたため、オス側接栓の中心導体を正しく中心位置に保持することができる。しかも同軸コネクタのオス、メス両側の同軸性を保つ構造であるため、広帯域にわたって周波数特性の良好な同軸コネクタを提供することができる。
【発明を実施するための最良の形態】
【０００９】
図１は、同軸コネクタの適用例としての信号分配器の外観形状を示したものである。ケース１１０の外周面に３つのメス側同軸コネクタ端子１２０が設けられている。
【００１０】
図２(a),(b)は、ケースに対する固定構造が図１のものとは異なるが、同軸コネクタの全体形状およびそのコネクタに内蔵されている要素を示している。この要素は、絶縁ホルダ１２２内にオス側中心導体と接触する導体１２３を収容し、この導体１２３の端部を端子として利用する。
【００１１】
図３は、図２に示したメス側同軸コネクタ１２０の内部構造を示す断面図である。この同軸コネクタ１２０は、金属製のシェル１２１の内部空間に絶縁ホルダ１２２を収容するものである。
【００１２】
絶縁ホルダ１２２内には、オス側同軸コネクタの中心導体２１０(想像線図示)が接触する導体１２３が嵌装されている。この導体１２３は、オス側中心導体２１０と弾性接触するために、バネ性板材を筒状に丸めて切込みを入れるとともに内側に屈曲させた少なくとも一対の当接片を有し、この当接片によりオス側中心導体２１０を同軸コネクタの中心位置に保持する。
【００１３】
この機能を果たすために、本発明の同軸コネクタ接栓ピンは、導電性を有するバネ性板材を丸めて筒状体にし、切込みを入れて筒状体の壁材を内周方向に屈曲させることにより、オス側同軸接栓の中心導体を受ける受け孔を有する。
【実施例１】
【００１４】
図４は、図２および図３と比べて、シェルおよび絶縁ホルダの細部構造が異なるメス側同軸コネクタにおける接栓ピン１２３の構造を示したものである。
【００１５】
この接栓ピン１２３は、導電性のバネ性板材に切込みを入れて屈曲させたものを筒状に丸めることにより、当接片を持った接栓ピンを形成するものである。
【００１６】
この接栓ピン１２３は、平板状のバネ性板材に、例えば型を用いて切込みを入れつつ屈曲部を形成したものを、筒状に丸めるとともに、オス側接栓の中心導体を受け入れる側の端部およびその反対側の端子となる端部をそれぞれ加工して形成する。
【００１７】
接栓ピン１２３の構造は、図示上側にある開口端部１２３ａ、接触部１２３ｂ，１２３ｃ、基部１２３ｄおよび端子部１２３ｅにより構成されている。そして、開口端部１２３ａがオス側接栓の中心導体が差し込まれる端部であり、その内周縁は中心導体を案内するように斜面になっている。
【００１８】
この開口端部１２３ａに連なる接触部は、一対の連結部１２３ｂおよび一対の当接片１２３ｃにより構成されている。連結部１２３ｂは、開口端部１２３ａと基部１２３ｄとを連結する要素であり、当接片１２３ｃは、筒状体の内周方向に屈曲されてオス側接栓の中心導体(図示せず)に圧接する。
【００１９】
中心導体は、接栓ピン１２３内に保持されるのであるから、同軸コネクタのほぼ中心位置に位置する。しかも当接片１２３ｃは、筒状体における径方向両側から中心導体に圧接するから、中心導体に対して均等に作用力を与え、中心導体を同軸コネクタの中心位置に保持することができる。したがって、当接片１２３ｃを３個構成とし、接栓ピン１２３の円周方向に均等配置する構成とすれば、中心導体をより正しく中心位置に保持することができる。
【００２０】
接栓ピン１２３は、絶縁ホルダ１２２内に収容され、絶縁ホルダ１２２はシェル１２１内に係止されている。この係止構造は、絶縁ホルダ１２２の一端に設けられたフランジ状部１２２ａがシェル１２１の先端内部に係合し、他端近くに設けたもう一つの出没構造に形成されているフランジ状部１２２ｂがシェル１２１の内周壁に設けられた環状溝に係合するものである。
【００２１】
図５は、図３に示した同軸コネクタに用いる接栓ピンを製造するためのバネ性板材を示したもので、まだ筒状に丸められる前の状態である。図示上方から、開口端部１２３ａ、一対の連結部１２３ｂ、一対の当接片１２３ｃ、基部１２３ｄ、端子部１２３ｅへと連なり、基部１２３ｄと端子部１２３ｅとの間に突出し部１２３ｆが設けられている。そして、この突出し部１２３ｆは、絶縁ホルダ１２２に係合して、接栓ピン１２３を絶縁ホルダ１２２内に保持する。
【００２２】
図６(a),(b),(c)は、本発明の他の実施例を示したもので、当接片１２３ｃの構造に特徴を有する。この当接片１２３ｃは、両端の幅が狭くて中央部が広く形成されており、しかも中央部は図６(c)に示すように横断面形状が円弧状をなした構造の受け孔となっている。この円弧状部分により、オス側接栓の中心導体は同軸コネクタの中心位置に押し込まれる。
【００２３】
図７(a),(b)は、図６に示した当接片の円弧状部分を平面状にし、かつ中央部に軸方向の溝を設けたものである。この軸方向の溝が受け孔となり、オス側接栓の中心導体が受け孔に嵌合して中心導体が同軸コネクタの中心位置に保持される。
【００２４】
図８(a),(b),(c)は、端子部１２３ｅの構成例を３点示したものである。図８(a)は、図５の実施例の斜視図を示しており、端子部１２３ｅは円筒の端部を反割状に形成している。また図８(b),(c)は、端子部１２３ｅのみを示しており、図８(b)は円筒にすり割を入れた形状、図８(c)は端部を絞り込んだ形状としている。
【００２５】
図９ないし図１２は、当接片１２３ｃが変形した他の実施例を示したものである。図９(a),(b)は、両端が狭幅で中央部が幅広の構成例の斜視図および平面図である。図１０(a),(b)は、図９の実施例における当接片１２３ｃの中央部に長手方向の溝を設けた構成例の斜視図および平面図である。図１１(a),(b)は、両端が幅広で中央部が狭幅であり、長手方向に２つの当接部を形成するように、横方向から見るとＷ字状に折り曲げた構成例を示す斜視図および平面図である。そして、図１２(a),(b)は、図１１の構成例に図７と同様の長手方向の溝を組合わせた構成例を示す斜視図および平面図である。
【００２６】
そして、図９および図１１の実施例では、一対の当接片１２３ｃ，１２３ｃ間に形成される空隙が受け孔として機能し、図１０および図１２の実施例ではさらに長手方向の溝が付加された構造の空隙が受け孔として機能して、オス側接栓の中心導体を受け入れる。
【図面の簡単な説明】
【００２７】
【図１】本発明の適用対象例である信号分配器の外観を示す説明図。
【図２】図２(a),(b)は、同軸コネクタの全体形状およびそのコネクタに内蔵されている要素を示す説明図。
【図３】図３は、図２に示したメス側同軸コネクタ１２０の内部構造を示す断面図で
【図４】図４は、図２および図３と比べて、シェルおよび絶縁ホルダの細部構造が異なるメス側同軸コネクタにおける接栓ピン１２３の構造を示す部分断面図。
【図５】図５は、図３に示した同軸コネクタに用いる接栓ピンを製造するためのバネ性板材を示す説明図。
【図６】図６(a),(b),(c)は、本発明の他の実施例を示す斜視図、縦断面図および横断面図。
【図７】図７(a),(b)は、図６に示した当接片の円弧状部分を平面状にし、かつ中央部に軸方向の溝を設けた実施例の斜視図および横断面図。
【図８】図８(a),(b),(c)は、端子部１２３ｅの構成例を３点示す斜視図。
【図９】図９(a),(b)は、両端が狭幅で中央部が幅広の構成例の斜視図および平面図。
【図１０】図１０(a),(b)は、図９の実施例における当接片１２３ｃの中央部に長手方向の溝を設けた構成例の斜視図および平面図。
【図１１】図１１(a),(b)は、両端が幅広で中央部が狭幅であり、長手方向に２つの当接部を形成するように、横方向から見るとＷ字状に折り曲げた構成例を示す斜視図および平面図。
【図１２】図１２(a),(b)は、図１１の構成例に図７と同様の長手方向の溝を組合わせた構成例を示す斜視図および平面図。
【符号の説明】
【００２８】
１１０  ケース
１２０  端子
１２１  シェル
１２２  絶縁ホルダ
１２３  接栓ピン
１２３ａ  開口端部
１２３ｂ  連結部
１２３ｃ  当接片
１２３ｄ  基部
１２３ｅ  端子部
１２３ｆ  突出し部
【図１】
2005056747.tif 000003
【図２】
2005056747.tif 000004
【図３】
2005056747.tif 000005
【図４】
2005056747.tif 000006
【図５】
2005056747.tif 000007
【図６】
2005056747.tif 000008
【図７】
2005056747.tif 000009
【図８】
2005056747.tif 000010
【図９】
2005056747.tif 000011
【図１０】
2005056747.tif 000012
【図１１】
2005056747.tif 000013
【図１２】
2005056747.tif 000014